(57)【特許請求の範囲】
【請求項１】
水を温めるためのヒータを有する温水タンクと、前記温水タンクに水を供給するための入水路と、前記温水タンクから湯を出湯するための出湯路と、前記出湯路と連通し局部を洗浄する洗浄ノズルと、前記温水タンク内の湯を排水するための排水栓と、前記排水栓の開栓防止のためのストッパーとを備え、前記排水栓は前記温水タンク下部に水密に取り付けるためのシール部材と回転させるためのレバーを有し、前記レバーを回転させることによって前記シール部材のシール性を緩和させて排水可能とする構成とし、前記温水タンクを固定するための裏板に前記排水栓の前記レバーに接触させるための前記ストッパーを設けたトイレ装置。
【請求項２】
前記排水栓は突起部を備え、前記裏板に一体に構成されたガイド溝に前記突起部を装入し、前記排水栓を回転させることにより前記排水栓が前後に移動可能な構成とし、前記レバーで前記排水栓を回転させることにより、前記温水タンクと前記排水栓とのシール性が緩和される請求項１に記載のトイレ装置。
【請求項３】
前記温水タンクの排水を便器開口部内に行うようにした請求項１または２に記載のトイレ装置。
【請求項４】
前記ストッパーの先端部に丸みを設けた請求項１〜３のいずれか１項に記載のトイレ装置。
【請求項５】
前記ストッパーは、前記裏板前面部に対する傾斜角度を開栓方向よりも閉栓方向の方を小さくした請求項１〜４のいずれか１項に項記載のトイレ装置。
【発明の詳細な説明】
【０００１】
【発明の属する技術分野】
本発明は、トイレ装置内の温水タンクの排水機能に関するものである。
【０００２】
【従来の技術】
従来この種のトイレ装置は、特願平０８−３２２５５０号公報に記載されているようなものが一般的であった。この装置は図６、図７に示されているように、温水タンク１は、湯を排水するための排水栓２を下部に設け、排水栓２の排水栓ケース３の外側に温水タンク１と水シールをするシール部材４が取り付けられている。更に、排水栓ケース３の外側
には、温水タンク１を固定するための裏板５に一体構成されたガイド溝６（図７参照）に入る突起部７と、排水栓２を回転させるためのレバー８が取り付けられており、レバー８を動かすと連動して排水栓２が回転する。ガイド溝６の形状は排水栓２を左右に回転すると排水栓２を前後に移動させる形状としてあり、これにより温水タンク１と排水栓２のシール性を緩和させて排水できる。
【０００３】
【発明が解決しようとする課題】
しかしながら、従来のトイレ装置では、お手入れ時等に誤って排水栓２のレバー８に手を触れると、容易に排水栓２が開栓してしまって温水タンク１内の湯が排水され、「シャワーが出ない」「湯温が低い」といった洗浄異常を起こしてしまうという課題を有していた。
【０００４】
さらに、排水栓２の開閉時のクリック感がなく、排水栓２は開栓状態か閉栓状態かを判断できないという課題を有していた。
【０００５】
【課題を解決するための手段】
本発明は上記課題を解決するために、温水タンク内の湯を排水するための排水栓が容易に開栓しないようにストッパーを設けたものである。
【０００６】
上記発明によれば、お手入れ時等に誤って排水栓のレバーに手を触れても容易に排水栓が開栓してしまって温水タンク内の湯を排水してしまうことがなくなる。
【０００７】
【発明の実施の形態】
本発明は、水を温めるためのヒータを有する温水タンクと、前記温水タンクに水を供給するための入水路と、前記温水タンクから湯を出湯するための出湯路と、前記出湯路と連通し局部を洗浄する洗浄ノズルと、前記温水タンク内の湯を排水するため排水栓と、前記排水栓の開栓防止のためのストッパーとを備えたものである。
【０００８】
しかも、排水栓は円筒形状で温水タンク下部の孔に水密に取り付けるためのシール部材と回転させるためのレバーを有し、前記レバーを回転させることによって前記シール部材のシール性を緩和させて排水可能とする構成を備え、前記温水タンクを固定するための裏板に前記排水栓の前記レバーに接触させるためのストッパーを設けたものである。
【０００９】
また、前記排水栓は突起部を備え、前記裏板に一体に構成されたガイド溝に前記突起部を装入し、前記排水栓を回転させることにより前記排水栓が前後に移動可能な構成とし、前記レバーで前記排水栓を回転させることにより、前記温水タンクと前記排水栓とのシール性が緩和されるものである。
【００１０】
また、温水タンクの排水を便器開口部内に行うようにしたものである。
【００１１】
そして、排水栓を開栓するためにはストッパーを通り越さなければならないため、お手入れ時等に誤って排水栓のレバーに手を触れても容易に排水栓が開栓してしまって温水タンク内の湯を排水してしまうことがなくなる。
【００１２】
また、ストッパーの先端部に丸みを設けたものである。
【００１３】
そして、排水栓はストッパーの先端部の丸みに沿って開栓可能でストッパーが排水栓を開栓するためにある程度の抵抗になって、排水栓の開閉時のクリック感が生じるので排水栓が開栓状態か閉栓状態かを判断することができる。
【００１４】
また、ストッパーは、裏板前面部に対する傾斜角度を開栓方向よりも閉栓方向の方を小さくしたものである。
【００１５】
そして、開栓時の方が閉栓時よりもストッパーを乗り越えるために大きな抵抗を受けるため、開栓しにくく閉栓しやすい構造にすることができる。
【００１６】
【実施例】
以下、本発明の実施例について図面を用いて説明する。なお、従来例と同一構成要素には、同一符号を付与して説明を省略する。
【００１７】
（実施例１）
図１は本発明の実施例１のトイレ装置の要部断面図である。また図２はトイレ装置の水回路構成図である。また図３はトイレ装置の外観図である。
【００１８】
図１、図２、図３において、このトイレ装置は、便器９上に載置固定された本体１０と、本体１０と回動自在に枢着される便蓋１１及び便座１２とからなる。本体１０の内部には、一次側（上流側）よりストレーナ１３、逆流防止弁１４、水抜栓１５、定流量弁１６，止水電磁弁１７、入水路１８、温水タンク１が設けられている。そして、温水タンク１は、上部に出湯路１９と流量調節兼水路切換弁２０を介して肛門洗浄またはビデ洗浄を行う洗浄ノズル２１に連通する主水路２２を、また下部には水を供給するための入口部２３及び便器開口部２４に湯を排水するための吐水部２５を有しリリーフ弁２６と排水栓２を並立してなる副水路２７を、また水を温めるためのヒータ２８を、そして、入水路１８の出口部２９から副水路２７の入口部２３までヒータ２８を経由しないバイパス水路３０を設けている。
【００１９】
一方、上記排水栓２は排水栓ケース３の外側に温水タンク１と水シールするためのシール部材４と、温水タンク１を固定するための裏板５に一体構成されたガイド溝６に入る突起部７と、温水タンク１を固定するための裏板５に設けたストッパー３１に接触する排水栓２を回転させるためのレバー８が取り付けられている。
【００２０】
次に動作について説明すると、主水路２２は洗浄時に流量調節兼水路切換弁２０によって肛門洗浄またはビデ洗浄の水路選択と流量調節を行なった後に止水電磁弁１７を開いて、水を一次側（上流側）より供給してストレーナ１３、逆流防止弁１４、水抜栓１５、定流量弁１６，止水電磁弁１７、入水路１８、温水タンク１、出湯路１９、流量調節兼水路切換弁２０を介して肛門洗浄またはビデ洗浄を行う洗浄ノズル２１に連通するようにして局部洗浄を行なうようになっている。また、副水路２７は排水栓２のレバー８を従来より強い力で動かすと裏板５のストッパー３１を乗り越えていき、これにより排水栓２が回転する。ガイド溝６は排水栓２を回転させるとこれを前後に移動させる形状としてあり、温水タンク１と排水栓２のシール性が緩和されて排水できる。
【００２１】
ここで上記排水栓２を開栓するためにはレバー８がストッパー３１を通り越さなければならないため、お手入れ時等に誤って排水栓２のレバー８に手を触れても容易に排水栓２が開栓してしまって温水タンク１内の湯を排水してしまうことがなくなる。
【００２２】
なお、裏板５にストッパー３１を設けた場合を説明したが、排水栓２に温水タンク１あるいは裏板５の一部に当接するストッパー３１を設ける場合でも同様に実施することができる。
【００２３】
また、温水タンク１の水を便器開口部２４内に排水する場合で説明したが、温水タンク１の水を便器開口部２４外に導いて排水する場合でも同様に実施することができる。
【００２４】
（実施例２）
図４は本発明の実施例２のトイレ装置の要部構造図である。
【００２５】
実施例１と異なる点は、ストッパー３１の先端部３２に丸みを設けたところである。
【００２６】
なお実施例１と同一符号のものは同一構造を有し、説明は省略する。
【００２７】
次に動作について説明すると、排水栓２はレバー８部がストッパー３１の先端部３２の丸みに沿って開栓可能で、ストッパー３１が排水栓２を開栓するためにある程度の抵抗になるものの開栓をするための妨げにはならないようになる。
【００２８】
上記構成によれば、排水栓２の開閉時のクリック感があるので排水栓２が開栓状態か閉栓状態かを判断することができる。
【００２９】
（実施例３）
図５は本発明の実施例３のトイレ装置の要部構造図である。
【００３０】
実施例１、２と異なる点は、ストッパー３１の裏板５に対する傾斜角を開栓方向よりも閉栓方向の方を小さくしたところである。
【００３１】
なお実施例１、２と同一符号のものは同一構造を有し、説明は省略する。
【００３２】
次に動作について説明すると、排水栓２の開栓時は排水栓２のレバー８部が裏板５に対する傾斜角度の大きいストッパー３１を乗り越し、排水栓２の閉栓時は排水栓２のレバー８部が裏板５に対する傾斜角度の小さいストッパー３１を乗り越すようになる。すなわち、開栓時の方が閉栓時よりもストッパーを乗り越えるために大きな抵抗を受けるため、開栓しにくく閉栓しやすい構造にすることができる。
【００３３】
【発明の効果】
以上のように本発明のトイレ装置によれば次の効果が得られる。
【００３４】
排水栓を開栓するためにはストッパーを通り越さなければならないため、お手入れ時等に誤って排水栓のレバーに手を触れても容易に排水栓が開栓してしまって温水タンク内の湯を排水してしまうことを防止することができる。
【００３５】
また、排水栓はストッパーの先端部の丸みに沿って開栓可能で、ストッパーが排水栓を開栓するためにある程度の抵抗になって、排水栓の開閉時のクリック感があるので排水栓が開栓状態か閉栓状態かを判断することができる。
【００３６】
また、開栓時の方が閉栓時よりもストッパーを乗り越えるために大きな抵抗を受けるため、開栓しにくく閉栓しやすい構造にすることができる。
【図面の簡単な説明】
【図１】  本発明の実施例１のトイレ装置の要部断面図
【図２】  同トイレ装置の水回路構成図
【図３】  同トイレ装置の外観図
【図４】  本発明の実施例２のトイレ装置の要部構造図
【図５】  本発明の実施例３のトイレ装置の要部構造図
【図６】  従来のトイレ装置の温水タンクの縦断面図
【図７】  同トイレ装置の要部断面図
【符号の説明】
１  温水タンク
２  排水栓
４  シール部材
５  裏板
８  レバー
１８  入水路
１９  出湯路
２１  洗浄ノズル
２４  便器開口部
２８  ヒータ
３１  ストッパー
３２  先端部
【図１】
0004366760.tif 000002
【図２】
0004366760.tif 000003
【図３】
0004366760.tif 000004
【図４】
0004366760.tif 000005
【図５】
0004366760.tif 000006
【図６】
0004366760.tif 000007
【図７】
0004366760.tif 000008